(57)【要約】【課題】  光コンセントアダプタに外部の光コネクタプラグを接続した際に、当該光コネクタプラグ自体が人の足や、掃除機、周辺機器等の障害とならないようにする。【解決手段】  光コンセントアダプタに接続する外部の光コネクタプラグ１のツマミ２側に屈曲可動部Ｐ１を備える。ツマミ２側の屈曲可動部Ｐ１に対応してツマミ２内部に配したフェルール４を保持するストップリング７側に屈曲可動部Ｐ２を備える。屈曲可動部Ｐ１，Ｐ２は、二つに分割したツマミ２の一方に穿設した軸孔１１Ａに、ツマミ２の他方に突設した軸部１１Ｂが回動可能に係合して成る軸構造により形成する。【選択図】          図１
2006350143.tif 000002
【特許請求の範囲】
【請求項１】
光コンセントアダプタに接続される外部の光コネクタプラグのツマミ側に屈曲可動部を備えたことを特徴とする光コネクタプラグ。
【請求項２】
ツマミ側の屈曲可動部に対応してツマミ内部に配されたフェルールを保持するストップリング側に屈曲可動部を備えた請求項１記載の光コネクタプラグ。
【請求項３】
屈曲可動部は、二つに分割されたツマミ・ストップリングの一方に穿設された軸孔に、ツマミ・ストップリングの他方に突設された軸部が回動可能に係合されて成る軸構造により形成した請求項１または２記載の光コネクタプラグ。
【請求項４】
屈曲可動部には、二つに分割されたツマミの一方に、真っ直ぐにした状態で係止させる第１の切り欠き部と、直角に曲げた状態で係止させる第２の切り欠き部とを凹設し、両切り欠き部にそれぞれ係合されるよう、二つに分割されたツマミの他方には突部を突設して成る節度機構を備えた請求項１乃至３のいずれか記載の光コネクタプラグ。
【発明の詳細な説明】
【技術分野】
【０００１】
本発明は、各種光通信機器を接続するために室内壁面に設置された光コンセントアダプタに接続する光コネクタプラグに関する。
【背景技術】
【０００２】
近年、いわゆるＦＴＴＨ（ｆｉｂｅｒ  ｔｏ  ｔｈｅ  ｈｏｍｅ）が進んだことに伴って、部屋の中に光コンセントを設置するようになってきている。そこで従来では、例えば特許文献１に開示されているように、室内の壁面に設けたアウトレットボックスに複数の光コンセントを取り付け、当該光コンセント内に保持された接続アダプタに、光ファイバコード等の外部光コネクタを壁面に対し垂直に挿入して接続するアウトレット部品なる技術が提案されている。
【特許文献１】特開２００５−１０６９３７号公報
【発明の開示】
【発明が解決しようとする課題】
【０００３】
しかしながら、従来の外部光コネクタは、壁面に対し垂直に挿入して接続するため、当該外部光コネクタ自体が壁面から垂直に突出した状態となる。このため、外部光コネクタが邪魔になり、人の足や、掃除機、周辺機器等がこれにぶつかって破損する等の事故が予想される。
【０００４】
そこで、本発明は叙上のような従来存した諸事情に鑑みなされたもので、光コンセントアダプタに外部の光コネクタプラグを接続した際に、可及的に当該光コネクタプラグ自体が人の足や、掃除機、周辺機器等の障害とならないように改良された新規な光コネクタプラグを提供することを目的とする。
【課題を解決するための手段】
【０００５】
上述した課題を解決するため、本発明にあっては、光コンセントアダプタに接続される外部の光コネクタプラグのツマミ側に屈曲可動部を備えたものである。
【０００６】
ツマミ側の屈曲可動部に対応してツマミ内部に配されたフェルールを保持するストップリング側に屈曲可動部を備えたものとすることができる。
【０００７】
屈曲可動部は、二つに分割されたツマミ・ストップリングの一方に穿設された軸孔に、ツマミ・ストップリングの他方に突設された軸部が回動可能に係合されて成る軸構造により形成したものとすることができる。
【０００８】
屈曲可動部には、二つに分割されたツマミの一方に、真っ直ぐにした状態で係止させる第１の切り欠き部と、直角に曲げた状態で係止させる第２の切り欠き部とを凹設し、両切り欠き部にそれぞれ係合されるよう、二つに分割されたツマミの他方には突部を突設して成る節度機構を備えたものとすることができる。
【０００９】
以上のように構成された本発明に係る光コネクタプラグにあって、ツマミ側の屈曲可動部は、二つに分割されたツマミを互いに９０度回転可能にさせる。また、ストップリング側の屈曲可動部は、二つに分割されたストップリングを互いに９０度もしくは１８０度回転可能にさせる。
【００１０】
節度機構は、第１の切り欠き部に突部が係合されることで、ツマミ側の屈曲可動部を真っ直ぐにした状態で係止させる。一方、第２の切り欠き部に突部が係合されることで、ツマミ側の屈曲可動部を９０度曲げた状態で係止させる。
【発明の効果】
【００１１】
本発明によれば、光コンセントアダプタに外部の光コネクタプラグを接続した際に、当可及的に該光コネクタプラグ自体が人の足や、掃除機、周辺機器等の障害とならないようにすることができる。
【００１２】
すなわちこれは本発明が、光コンセントアダプタに接続される外部の光コネクタプラグのツマミ側に屈曲可動部を備えたからであり、これにより、ツマミを９０度回転させることができ、光コンセントアダプタに接続された外部の光コネクタプラグ自体が人の足や、掃除機、周辺機器等の障害となるのを防止することができる。
【００１３】
ツマミ側の屈曲可動部に対応してツマミ内部に配されたフェルールを保持するストップリング側に屈曲可動部を備えたので、ストップリング側が障害とならずにツマミ自体を容易に曲げることができる。
【００１４】
屈曲可動部は、二つに分割されたツマミ・ストップリングの一方に穿設された軸孔に、ツマミ・ストップリングの他方に突設された軸部が回動可能に係合されて成る軸構造により形成したので、屈曲可動部を簡単で低コストに作製することができる。しかも、軸構造の屈曲可動部によってツマミ・ストップリング自体が捩れずに一定の方向に可動となるため、フェルールに保持されている光ファイバの捩れ変形を防止することができる。
【００１５】
屈曲可動部には、二つに分割されたツマミの一方に、真っ直ぐにした状態で係止させる第１の切り欠き部と、直角に曲げた状態で係止させる第２の切り欠き部とを凹設し、両切り欠き部にそれぞれ係合されるよう、二つに分割されたツマミの他方には突部を突設して成る節度機構を備えたので、ツマミ・ストップリングの真っ直ぐにした状態および直角に曲げた状態を常に維持することができ、ツマミ・ストップリングの不用意な屈曲を未然に防止することができる。なお、本光コネクタプラグにあっては、ツマミ・ストップリングの９０度以内の任意の場所での係止も可能である。これによって９０度まで屈曲できないような設置部位にも対応することができる。
【発明を実施するための最良の形態】
【００１６】
以下、図面を参照して本発明を実施するための最良の一形態を説明すると、図において示される符号１は、不図示の光ファイバケーブルおよび同ケーブル内に収納されている抗張力線を保持するためのカシメ部材を有する光コネクタプラグであり、該光コネクタプラグ１は、図６に示すように、各種光通信機器を接続するために室内の壁面に設置されたシャッタ付きのカバー体Ｓに内装された不図示の光コンセントアダプタに接続するものとしてある。
【００１７】
光コネクタプラグ１は、図１に示すように、ツマミ側屈曲可動部Ｐ１を介して直角に曲げることが可能な第１ツマミ部分２Ａと第２ツマミ部分２Ｂとから成るツマミ２の内部に、先端側（左端側）からプラグハウジング３、フェルール４、ホルダ５、スプリング６、第１ストップリング７Ａおよび第２ストップリング７Ｂから成るストップリング７、カシメリング８、保持リング９、ブーツ１０等が順に配置されることにより構成されており、光ファイバケーブルはこれらの内部に挿入されている。また、ツマミ側屈曲可動部Ｐ１に対応して、第１ストップリング７Ａと第２ストップリング７Ｂとはストップリング側屈曲可動部Ｐ２を介して互いに直角に曲げることが可能となるようにしてある。
【００１８】
ツマミ２は、図１に示すように、矩形状の筐体を前側の第１ツマミ部分２Ａと後側の第２ツマミ部分２Ｂとの２つに分割し、第１ツマミ部分２Ａの後部側左右両壁面には、円形状の軸孔１１Ａをそれぞれ穿設してある。また、第２ツマミ部分２Ｂの前部左右両壁面には、中央に円形状の軸部１１Ｂを有する半円状のアーム部１１Ｃがそれぞれ突設してある。そして、軸部１１Ｂを軸孔１１Ａに嵌合させると共に、第１ツマミ部分２Ａの後部開口側から一側面に掛けて形成された凹部１１Ｄ（図４、図５参照）に、第２ツマミ部分２Ｂの前部側を係入させるようにして、両ツマミ部分２Ａ，２Ｂが互いに９０度回転できるものとしたツマミ側屈曲可動部Ｐ１を形成してある。このとき、凹部１１Ｄは第１ツマミ部分２Ａの一側面のみに形成されているため、両ツマミ部分２Ａ，２Ｂは、凹部１１Ｄ側に向けて互いに回転するものの、凹部１１Ｄ側と反対方向には回転されないものとなっている。
【００１９】
そして、図３、図４に示すように、第１ツマミ部分２Ａの後部開口側の左右縁部にはそれぞれ半円弧状の第１の切り欠き部１２Ａが凹設され、且つ第１ツマミ部分２Ａの後部開口側から一側面に掛けて形成された凹部１１Ｄの左右縁部にはそれぞれ半円弧状の第２の切り欠き部１２Ｂが凹設されている。また、図１に示すように、これら両切り欠き部１２Ａ，１２Ｂに対向すべく、第２ツマミ部分２Ｂのアーム部１１Ｃ位置よりも後側には、半球状の突部１２Ｃを突設してある。こうして、第１の切り欠き部１２Ａに突部１２Ｃが係合することで、第１ツマミ部分２Ａと第２ツマミ部分２Ｂとが互いに真っ直ぐにした状態で係止されると共に、第２の切り欠き部１２Ｂに突部１２Ｃが係合することで、第１ツマミ部分２Ａと第２ツマミ部分２Ｂとが互いに直角に曲げた状態で係止される節度機構Ｑを形成してある。
【００２０】
光ファイバケーブルは、内側の光ファイバと、光ファイバ外側を覆う抗張力線と、抗張力線の外側を覆う合成樹脂から成る外皮とによって形成されている。また、フェルール４は、光ファイバケーブルの光ファイバの先端が挿入後、接着剤等で接着されることにより光ファイバを固定するものである。このフェルール４は、図４に示すように、光コネクタプラグ１の先端から突出するようホルダ５の先端に保持される。さらに、フェルール４はプラグハウジング３に覆われることによりその保護がなされている。これら光ファイバケーブルおよびフェルール４は光コネクタプラグにおいて周知部材であることはいうまでもない。
【００２１】
スプリング６はコイルばねからなり、図４に示すように、ホルダ５および第１ストップリングの間に挟まれるように配置されることにより、その後端が第１ストップリング７Ａに支持されている。このように第１ストップリング７Ａに後端が支持されることにより、スプリング７自体はホルダ５を前方に付勢するように作用する。
【００２２】
プラグハウジング３には、ホルダ５、スプリング６および第１ストップリング７Ａの前方部分が挿入されている。この場合、第１ストップリング７Ａの前方部分における外面には、図１に示すように、係合凸部１３Ａが形成されており、この係合凸部１３Ａがプラグハウジング３の係合孔部１３Ｂに係合している。この係合により、プラグハウジング３に対してストップリング７が固定され、これらの抜け止めが行われている。
【００２３】
第１ストップリング７Ａの後方部分は、左右一対のアーム部１４Ａが突設され、これら両アーム部１４Ａの中央には、円形状の軸孔１４Ｂをそれぞれ平行に穿設してある。また、第２ストップリング７Ｂの前部左右両壁面には、円形状の軸部１４Ｃをそれぞれ突設してある。そして、各軸部１４Ｃを各軸孔１４Ｂに嵌合させることで、両ストップリング７Ａ，７Ｂが互いに９０度もしくは１８０度回転できるものとしたストップリング側屈曲可動部Ｐ２を形成してある。
【００２４】
カシメリング８は、大径部８ａと小径部８ｂとの段付き円筒状に形成され、その内部に光ファイバケーブルが貫通状に挿入されることにより、光ファイバケーブルの外皮および抗張力線を固定する。外皮の固定は、カシメリング８の小径部８ｂの外側から保持リング９をかしめることにより行われ、一方、抗張力線の固定は、第２ストップリング７Ｂの外側からカシメリング８の大径部８ａをかしめることによって行なわれるものである。なお、カシメリング８、保持リング９等の外側には、ゴム等から成るブーツ１０の先端が外挿されている。
【００２５】
次に、以上のように構成された最良の形態についての使用、動作の一例について説明すると、先ず、各種光通信機器を接続するために室内の壁面に設置された図６（ａ）に示すカバー体Ｓのシャッターを下方に下げてから、光コネクタプラグ１を挿入し、当該カバー体Ｓに内装された不図示の光コンセントアダプタに接続する。
【００２６】
このとき、図４、図６（ｂ）に示すように、共に軸構造によるツマミ側屈曲可動部Ｐ１およびストップリング側屈曲可動部Ｐ２は、光コネクタプラグ１と光コンセントアダプタとの接続部分に沿って同一直線上に揃った状態となり、また節度機構Ｑにより、第１の切り欠き部１２Ａに突部１２Ｃが係合されることで、ツマミ側屈曲可動部Ｐ１を真っ直ぐな状態に保持する。
【００２７】
そして、図５、図６（ｃ）に示すように、ツマミ側屈曲可動部Ｐ１を介してツマミ２を下方向に向けて直角に曲げる。このとき、第１ツマミ部分２Ａの凹部１１Ｄに、第２ツマミ部分２Ｂの前部側が係入するようにして、第２ツマミ部分２Ｂは、第１ツマミ部分２Ａに対し９０度回転する。同時に、ツマミ２内部の両ストップリング７Ａ，７Ｂもストップリング側屈曲可動部Ｐ２を介して互いに９０度回転する。そして節度機構Ｑにより、第２の切り欠き部１２Ｂに突部２Ｃが係合されることで、ツマミ側屈曲可動部Ｐ１を９０度曲げた状態に保持する。
【００２８】
このようにツマミ２を９０度回転させることで、光コンセントアダプタに接続された外部の光コネクタプラグ１自体が人の足や、掃除機、周辺機器等の障害となるのを防止することができる。
【図面の簡単な説明】
【００２９】
【図１】本発明を実施するための最良の形態を示す光コネクタプラグの分解斜視図である。
【図２】同じく組立後の光コネクタプラグの斜視図である。
【図３】同じく組立後の光コネクタプラグを示し、（ａ）は平面図、（ｂ）は正面図、（ｃ）は背面図、（ｄ）は側面図である。
【図４】同じく図３（ａ）のＸ−Ｘ断面図である。
【図５】同じくツマミを直角に折り曲げた状態の断面図である。
【図６】同じく光コネクタプラグの使用状態を示す概略斜視図である。
【符号の説明】
【００３０】
Ｐ１    ツマミ側屈曲可動部
Ｐ２    ストップリング側屈曲可動部
Ｑ      節度機構
Ｓ      カバー体
１      光コネクタプラグ
２      ツマミ
２Ａ    第１ツマミ部分
２Ｂ    第２ツマミ部分
３      プラグハウジング
４      フェルール
５      ホルダ
６      スプリング
７      ストップリング
７Ａ    第１ストップリング
７Ｂ    第２ストップリング
８      カシメリング
９      保持リング
１０    ブーツ
１１Ａ  軸孔
１１Ｂ  軸部
１１Ｃ  アーム部
１１Ｄ  凹部
１２Ａ  第１の切り欠き部
１２Ｂ  第２の切り欠き部
１２Ｃ  突部
１３Ａ  係合凸部
１３Ｂ  係合孔部
１４Ａ  アーム部
１４Ｂ  軸孔
１４Ｃ  軸部
【図１】
2006350143.tif 000003
【図２】
2006350143.tif 000004
【図３】
2006350143.tif 000005
【図４】
2006350143.tif 000006
【図５】
2006350143.tif 000007
【図６】
2006350143.tif 000008